(57)【特許請求の範囲】
【請求項１】
所定の長さを有する第１部材と第２部材の一方側端部をハンダ付け対象物品を把持する把持部とし、前記第１部材と前記第２部材のそれぞれの他方側端部を支点とするピンセット本体と、
回転可能に構成され、巻き付けられた線状ハンダを繰り出し可能に保持するためのハンダスプールと、
前記ハンダスプールから前記線状ハンダを、ハンダ付けを行うハンダ付け領域に供給するためのハンダ送り機構と、
前記ハンダ送り機構によって供給される前記線状ハンダを、前記ハンダ付け領域に導くハンダ送りガイドと、
を一体として具備し、
前記ハンダ送り機構が、前記線状ハンダを挟み込む、回転可能な一対のローラと、前記一対のローラの少なくとも一方を回転させるためのギヤ機構とを備えており、前記ギヤ機構を作動させて、前記ローラを回転させることにより、前記線状ハンダを前記ハンダ付け領域に供給するように構成され、
前記ハンダ送りガイドは、前記線状ハンダが、前記ピンセット本体を構成する前記第１部材の、前記一方側端部近傍の上辺部を経て、前記ハンダ付け領域に達するように構成されているとともに、
前記ハンダ送り機構が、手動送り用操作パッドを備え、該手動送り用操作パッドを操作して、手動で前記ギヤ機構を作動させることにより、前記線状ハンダの供給を行うことができるように構成されており、かつ、前記手動送り用操作パッドが、前記ピンセット本体を構成する前記第１部材の、前記第２部材と対向する面とは逆の面側に突出するように配設されていること
を特徴とするハンダ供給機構付きピンセット。
【請求項２】
前記ピンセット本体を構成する前記第２部材の、前記第１部材と対向する面とは逆側の面に、所定の厚みを有し、前記手動送り用操作パッドが突出方向とは逆側に突出するピンセット押さえ用パッドが配設されており、前記手動送り用操作パッドと、前記ピンセット押さえ用パッドを介して、前記ピンセット本体による前記ハンダ付け対象物品の把持操作を行うように構成されていることを特徴とする請求項１記載のハンダ供給機構付きピンセット。
【請求項３】
前記ピンセット本体の前記把持部および前記把持部により前記ハンダ付け対象物品を把持する操作を行うための把持操作部と、前記ハンダ送り機構により、前記線状ハンダを前記ハンダ付け領域に供給するための操作を行うハンダ送り操作部とを、外部から操作することができるような態様で、前記ピンセット本体と、前記ハンダスプールと、前記ハンダ送り機構の主要部を収容するケースを備えていることを特徴とする請求項１または２記載のハンダ供給機構付きピンセット。
【請求項４】
前記ハンダ付け領域を拡大して目視するためのルーペを備えていることを特徴とする請求項１〜３のいずれかに記載のハンダ供給機構付きピンセット。
【請求項５】
前記ハンダ付け領域に光を照射する照明部を備えていることを特徴とする請求項１〜４のいずれかに記載のハンダ供給機構付きピンセット。
【請求項６】
前記ケースに、前記ハンダ付け領域を拡大して目視するためのルーペが配設されていることを特徴とする請求項４記載のハンダ供給機構付きピンセット。
【請求項７】
前記ルーペに、前記ハンダ付け領域に光を照射する照明部が配設されていることを特徴とする請求項４〜６のいずれかに記載のハンダ供給機構付きピンセット。
【発明の詳細な説明】
【技術分野】
【０００１】
本発明は、ハンダ付け作業を行う際に用いられるピンセットに関し、詳しくは、例えば、チップ型電子部品を回路基板のランド電極にハンダ付けする際などに用いるのに適したハンダ供給機構付きピンセットに関する。
【背景技術】
【０００２】
近年、電子機器が小型化し、それに用いられるチップ型電子部品も小型化している。そのような状況下で、微細なチップ型電子部品を、回路基板上にハンダ付けによる方法で搭載する場合、精細なハンダ付け作業を行うことが必要になる。そのようなハンダ付け作業を行う場合、例えば、
（１）ヘッドルーペやバックライト方式の拡大鏡を用いてハンダ付け領域を目視し、ピンセットによりチップ型電子部品を把持し、のりや接着剤を用いて、回路基板のランド電極上に、チップ型電子部品を仮止めし、その後、ピンセットをハンダごてに持ち替えて、ハンダを供給しながらハンダ付けを行う方法や、
（２）一対のランド電極の一方にだけ先にハンダを盛り、ハンダごてでこのハンダを溶かしながらピンセットで把持したチップ型電子部品の電極（一対の電極の一方）を上記一方のランド電極に固定した後、ピンセットをハンダに持ち替え、ハンダを供給しながら他方側の電極を回路基板の他方側のランド電極にハンダ付けする方法
などが用いられている。
【０００３】
このように、従来のハンダ付け方法の場合には、作業性が悪く、効率が悪いばかりでなく、ハンダ付け精度も不十分になりやすいという問題点がある。
【０００４】
ところで、効率よく精度の高いハンダを可能にするために、線状ハンダ（糸ハンダ）とこれを移送する一対のローラ間にスベリが生じないようにして、糸ハンダの供給の安定化を図る方法が提案されている（特許文献１参照）。
【０００５】
また、供給ロールの糸ハンダが、ハンダごて後部に配置され、そこからハンダごて内部の送り装置に導かれた糸ハンダが、送り装置に噛まれ、ガイドパイプを通じて、こて先端に間欠的に送られるように構成された糸ハンダごてに関し、送り装置を小型にして、ハンダごてに合体できるようにし、かつ、磨耗部品を持たず、低コストで製造できるようにした糸ハンダの電磁式送り装置が提案されている（特許文献２）。
【０００６】
しかしながら、上述の特許文献１および特許文献２の技術を用いた場合、糸ハンダの供給は効率よく、確実に行うことができても、チップ型電子部品などのハンダ付け対象物品を取り扱う際の作業性の悪さは特に改善されないのが実情である。
【先行技術文献】
【特許文献】
【０００７】
【特許文献１】特開平７−００９１２７号公報
【特許文献２】特開平５−２４５６２８号公報
【発明の概要】
【発明が解決しようとする課題】
【０００８】
本発明は、上記課題を解決するものであり、例えば、微細なチップ型電子部品を回路基板のランド電極にハンダ付けする際などに用いた場合に、作業性よく、精度の高いハンダ付けを行うことが可能なハンダ供給機構付きピンセットを提供することを目的とする。
【課題を解決するための手段】
【０００９】
上記課題を解決するために、本発明のハンダ供給機構付きピンセットは、
所定の長さを有する第１部材と第２部材の一方側端部をハンダ付け対象物品を把持する把持部とし、前記第１部材と前記第２部材のそれぞれの他方側端部を支点とするピンセット本体と、
回転可能に構成され、巻き付けられた線状ハンダを繰り出し可能に保持するためのハンダスプールと、
前記ハンダスプールから前記線状ハンダを、ハンダ付けを行うハンダ付け領域に供給するためのハンダ送り機構と、
前記ハンダ送り機構によって供給される前記線状ハンダを、前記ハンダ付け領域に導くハンダ送りガイドと、
を一体として具備し、
前記ハンダ送り機構が、前記線状ハンダを挟み込む、回転可能な一対のローラと、前記一対のローラの少なくとも一方を回転させるためのギヤ機構とを備えており、前記ギヤ機構を作動させて、前記ローラを回転させることにより、前記線状ハンダを前記ハンダ付け領域に供給するように構成され、
前記ハンダ送りガイドは、前記線状ハンダが、前記ピンセット本体を構成する前記第１部材の、前記一方側端部近傍の上辺部を経て、前記ハンダ付け領域に達するように構成されているとともに、
前記ハンダ送り機構が、手動送り用操作パッドを備え、該手動送り用操作パッドを操作して、手動で前記ギヤ機構を作動させることにより、前記線状ハンダの供給を行うことができるように構成されており、かつ、前記手動送り用操作パッドが、前記ピンセット本体を構成する前記第１部材の、前記第２部材と対向する面とは逆の面側に突出するように配設されていること
を特徴としている。
【００１０】
また、前記ピンセット本体を構成する前記第２部材の、前記第１部材と対向する面とは逆側の面に、所定の厚みを有し、前記手動送り用操作パッドが突出方向とは逆側に突出するピンセット押さえ用パッドが配設されており、前記手動送り用操作パッドと、前記ピンセット押さえ用パッドを介して、前記ピンセット本体による前記ハンダ付け対象物品の把持操作を行うように構成されていることが好ましい。
【００１１】
また、前記ピンセット本体の前記把持部および前記把持部により前記ハンダ付け対象物品を把持する操作を行うための把持操作部と、前記ハンダ送り機構により、前記線状ハンダを前記ハンダ付け領域に供給するための操作を行うハンダ送り操作部とを、外部から操作することができるような態様で、前記ピンセット本体と、前記ハンダスプールと、前記ハンダ送り機構の主要部を収容するケースを備えていることが好ましい。
【００１２】
また、前記ハンダ付け領域を拡大して目視するためのルーペを備えていることが好ましい。
【００１３】
また、前記ハンダ付け領域に光を照射する照明部を備えていることが好ましい。
【００１４】
また、前記ケースに、前記ハンダ付け領域を拡大して目視するためのルーペが配設されていることが好ましい。
【００１５】
また、前記ルーペに、前記ハンダ付け領域に光を照射する照明部が配設されていることが好ましい。
【発明の効果】
【００１６】
本発明のハンダ供給機構付きピンセットは、上述のように構成されたピンセット本体と、回転可能に構成され、巻き付けられた線状ハンダを繰り出し可能に保持するためのハンダスプールと、線状ハンダをハンダスプールからハンダ付け領域に供給するためのハンダ送り機構と、ハンダ送り機構によって供給される線状ハンダを、ハンダ付け領域に導くハンダ送りガイドとを備えているので、例えば、微細なチップ型電子部品を回路基板のランド電極にハンダ付けする際などに用いた場合に、作業性よく、精度の高いハンダ付けを行うことが可能になる。
【００１７】
すなわち、ハンダ付け作業を行う作業者が、ハンダ供給機構付きピンセットを一方の手（例えば、左手）に持ち、ピンセット本体によりチップ型電子部品（ハンダ付け対象物品）を把持し、ハンダ送り機構によりハンダスプールからハンダ付け領域に、線状ハンダを供給する。それから、ピンセット本体によりチップ型電子部品を把持した状態で、ハンダごてにより線状ハンダを溶融させることにより、従来のように、ハンダごてとピンセットを持ち替えたり、ピンセットとハンダを持ち替えたりすることなく、効率よく、確実にチップ型電子部品の外部電極を、回路基板のランド電極にハンダ付けすることができる。
【００１８】
また、ハンダ送り機構を、線状ハンダを挟み込む、回転可能な一対のローラと、一対のローラの少なくとも一方を回転させるためのギヤ機構とを備えた構成とし、ギヤ機構を作動させて、ローラを回転させることにより、線状ハンダをハンダ付け領域に供給するようにしているので、確実に線状ハンダをハンダ付け領域に供給することが可能になる。
【００１９】
また、ハンダ送りガイドを、線状ハンダが、ピンセット本体を構成する第１部材の、一方側端部近傍の上辺部を経て、ハンダ付け領域に達するようにしているので、線状ハンダがピンセット本体の陰に隠れてしまうことを防止することが可能になるため、線状ハンダの先端と、ハンダ付け対象物品の電極などの位置を確実に目視しながら、精度の高いハンダ付けを行うことが可能になる。
【００２０】
また、ハンダ送り機構が、手動送り用操作パッドを備え、該手動送り用操作パッドを操作することにより、線状ハンダの供給を行うことができるように構成されており、かつ、手動送り用操作パッドが、ピンセット本体を構成する第１部材の、第２部材と対向する面とは逆の面側に突出するように配設されているので、手動送り用操作パッドを操作することにより、手動で容易に線状ハンダを供給することが可能になるとともに、手動送り用操作パッドを、ピンセット本体によるハンダ付け対象物品の把持操作を行う際の操作部としても機能させることが可能になる。
【００２１】
また、ピンセット本体を構成する第２部材の、第１部材と対向する面とは逆側の面に、所定の厚みを有し、手動送り用操作パッドが突出方向とは逆側に突出するピンセット押さえ用パッドを配設するとともに、手動送り用操作パッドと、ピンセット押さえ用パッドを介して、ピンセット本体によるハンダ付け対象物品の把持操作が行われるようにした場合、ハンダ付け対象物品の把持操作をより確実に行うことが可能になる。
【００２２】
また、把持操作部とハンダ送り操作部とを外部から操作することができるような態様で、ピンセット本体と、ハンダスプールと、ハンダ送り機構の主要部を収容するケースを備えた構成とすることにより、線状ハンダの保持やハンダ送り機構の保持性に優れ、信頼性の高いハンダ供給機構付きピンセットを提供することが可能になるとともに、ケースの形状を調整することによりさらに操作性に優れたハンダ供給機構付きピンセットを提供することが可能になる。
【００２３】
また、ハンダ付け領域を拡大して目視するためのルーペを備えた構成とした場合、ハンダ付け領域をルーペにより拡大して目視することが可能になるため、より精度の高いハンダ付けを行うことが可能になる。
【００２４】
また、ハンダ付け領域に光を照射する照明機構を備えている場合、ハンダ付け領域を確実に目視することが可能になるため、より精度の高いハンダ付けを行うことが可能になる。
【００２５】
また、ケースにハンダ付け領域を拡大して目視するためのルーペを配設することにより、さらにハンダ付け領域を拡大して目視しやすく、取り扱い性に優れたハンダ供給機構付きピンセットを提供することが可能になる。
【００２６】
また、ルーペにハンダ付け領域に光を照射する照明部を配設することで、さらにハンダ付け領域をより目視しやすく、取り扱い性に優れたハンダ供給機構付きピンセットを提供することが可能になる。
【図面の簡単な説明】
【００２７】
【図１】本発明の一実施形態にかかるハンダ供給機構付きピンセットの構成を示す斜視図である。
【図２】本発明の一実施形態にかかるハンダ供給機構付きピンセットの構成を示す側面図である。
【図３】本発明の一実施形態にかかるハンダ供給機構付きピンセットを構成するハンダ送り機構を示す図である。
【図４】本発明の一実施形態にかかるハンダ供給機構付きピンセットのケースの配設態様を示す平面図である。
【図５】ケースに配設されたルーペを備えた本発明の一実施形態にかかるハンダ供給機構付きピンセットを示す平面図である。
【図６】本発明の一実施形態にかかるハンダ供給機構付きピンセットのルーペの動作を説明する図である。
【図７】本発明の一実施形態にかかるハンダ供給機構付きピンセットを用いてハンダ付けを行う方法を説明する図である。
【発明を実施するための形態】
【００２８】
以下に本発明の実施形態を示して、本発明の特徴とするところをさらに詳しく説明する。
【００２９】
図１〜６は、本発明の一実施形態にかかるハンダ供給機構付きピンセットの構成を示す図であり、図７は、本発明の一実施形態にかかるハンダ供給機構付きピンセットを用いてハンダ付けを行う方法を説明する図である。
【００３０】
この実施形態のハンダ供給機構付きピンセットＡは、図１〜３に示すように、  所定の長さを有する第１部材１と第２部材２の一方側端部１ａ，２ａをハンダ付け対象物品６０（図７）を把持する把持部１１とし、第１部材１と第２部材２のそれぞれの他方側端部１ｂ，２ｂを支点１２とするピンセット本体１０と、回転可能に構成され、巻き付けられた線状ハンダＳを繰り出し可能に保持するハンダスプール２０と、ハンダスプール２０から線状ハンダＳを、ハンダ付けを行うハンダ付け領域５０（図７）に供給するためのハンダ送り機構３０と、ハンダ送り機構３０によって供給される線状ハンダＳを、ハンダ付け領域５０に導くハンダ送りガイド４０とを一体として備えている。
【００３１】
ハンダ送り機構３０は、図３に示すように、線状ハンダＳを挟み込む、回転可能な一対のローラ３１ａ，３１ｂと、ローラ３１ａ，３１ｂを回転させるためのギヤ機構３２とを備えており、ギヤ機構３２を構成する一対のギヤ３２ａ，３２ｂのうちギヤ３２ａを作動させて、ギヤ３２ｂを回転させるとともに、それによってギヤ３２ａ，３２ｂと同軸の一対のローラ３１ａ，３１ｂを回転させることにより、ローラ３１ａとローラ３１ｂに挟まれた線状ハンダＳを繰り出してハンダ付け領域５０に供給することができるように構成されている。また、この実施形態では、一方のローラ３１ａが、ギヤ形状に形成されており、外周面に形成された歯が線状ハンダＳに噛み込むことにより、線状ハンダＳが滑らずに確実に供給されるように構成されている。なお、ギヤ形状にしたローラを用いる代わりに、摩擦抵抗の大きい材料からなる、外周面が平坦なローラを用いることによっても、線状ハンダが滑らずに確実に供給されるようにすることができる。
なお、図３において、ギヤ３２ａ，３２ｂは、ローラ３１ａ，３１ｂと同軸で、紙面の手前側に位置し、ギヤ３２ａ，３２ｂが回転することにより、ローラ３１ａ，３１ｂが回転するように構成されている。
【００３２】
また、このハンダ供給機構付きピンセットＡにおいて、ハンダ送り機構３０は、ローラ３１ａ，３１ｂを回転させるための手動送り用操作パッド３３を備えており、手動送り用操作パッド３３を介して手動でギヤ機構３２を操作することにより、線状ハンダをハンダ付け領域５０に手動で供給することができるように構成されている。
【００３３】
また、手動送り用操作パッド３３は、ピンセット本体１０を構成する第１部材１の、第２部材２と対向する面とは逆の面側に突出するように配設されている。
ただし、ハンダ送り機構３０の構成はこれに限られるものではなく、線状ハンダＳを供給することが可能な種々の構成とすることが可能である。
【００３４】
また、ハンダ送りガイド４０は、テーパー形状を有する筒状構造を有しており、線状ハンダＳが、ピンセット本体１０を構成する第１部材１の、一方側端部１ａの近傍の上辺部を経て、ハンダ付け領域５０に達するように構成されている。
この実施形態のハンダ供給機構付きピンセットＡにおいて、ハンダ送りガイド４０は、ゴム製の締結部材（ゴム製の筒状部材）４１を介してピンセット本体１０を構成する第１部材１に固定されている。
【００３５】
なお、線状ハンダＳが、ピンセット本体１０の第１部材１の、一方側端部１ａの近傍の上辺部を経て、ハンダ付け領域５０に達するようにした場合、線状ハンダＳがピンセット本体１０の陰に隠れてしまうことがなく、線状ハンダＳの先端と、ハンダ付け対象物品６０（図７）の外部電極６１などの位置を確実に目視しながら、精度の高いハンダ付けを行うことができる。
【００３６】
また、ピンセット本体１０を構成する第２部材２の、第１部材１と対向する面とは逆側の面にピンセット押さえ用パッド３４が配設されている。ピンセット押さえ用パッド３４は、所定の厚みを有し、手動送り用操作パッドが突出方向とは逆側に突出していることから、手動送り用操作パッド３３と、ピンセット押さえ用パッド３４を介して、ピンセット本体１０を操作することにより、ハンダ付け対象物品６０（図７）の把持操作を容易に行うことができる。
【００３７】
また、この実施形態のハンダ供給機構付きピンセットＡは、図４、図５に示すように、要部を覆うように配設されたケース７０を備えている。
【００３８】
すなわち、この実施形態のハンダ供給機構付きピンセットＡにおいては、ピンセット本体１０の把持部１１と、把持部１１によりハンダ付け対象物品６０（図７）を把持する操作を行うための把持操作部（この実施形態では、手動送り用操作パッド３３、ピンセット押さえ用パッド３４などが把持操作部に相当する）と、ハンダ送り機構３０により、線状ハンダＳをハンダ付け領域５０に供給するための操作を行うハンダ送り操作部（この実施例では、手動送り用操作パッド３３がハンダ送り操作部に相当する）などを外部から操作することができるような態様で、ピンセット本体１０、ハンダスプール２０、ハンダ送り機構３０などの主要部を収容するケース７０を備えている。
【００３９】
また、この実施形態のハンダ供給機構付きピンセットＡは、図５、図６に示すように、ハンダ付け領域５０を拡大して目視するためのルーペ８０を備えている。なお、ルーペ８０はアーム８１を備えており、蝶番８２、ルーペ基台８３を介してケース７０に取り付けられており、蝶番８２によりアーム８１が回動することにより、ルーペの角度や位置を調整して、ハンダ付け領域５０（図７）をより確実に目視することができるように構成されている。
【００４０】
また、アーム８１には、図６に示すように、ハンダ付け領域５０を照らす照明部（ＬＥＤ）９０が配設されており、電源（電池）はケース７０内に収容されている。
なお、照明部は、ケース７０に配設することも可能である。
【００４１】
次に、上述のように構成されたハンダ供給機構付きピンセットＡを用いて、チップ型電子部品の外部電極を、回路基板上のランド電極にハンダ付けする場合の動作を、図１〜図７を参照しつつ説明する。
【００４２】
まず、ハンダ付け作業を行う作業者が、ハンダ供給機構付きピンセットＡを一方の手（例えば、左手）に持ち、ピンセット本体１０によりチップ型電子部品（ハンダ付け対象物品）６０（図７）を把持する。このとき、例えば、左手の人差し指を手動送り用操作パッド３３に、親指をピンセット押さえ用パッド３４にあて、ピンセット本体１０を動作させることにより、チップ型電子部品６０をピンセット本体１０の把持部１１に把持する。
【００４３】
そして、チップ型電子部品６０を、回路基板１０１のランド電極１０２に対応する所定の位置に保持した状態で、手動送り用操作パッド３３によりハンダ送り機構３０を操作して、ハンダスプール２０に巻き付けられた線状ハンダＳを送り出す。送り出された線状ハンダＳは、ハンダ送りガイド４０に導かれて、ハンダ付け領域５０に供給される。
【００４４】
この状態を、必要に応じて、照明部（ＬＥＤ）９０（図６）により照らしたハンダ付け領域５０を、ルーペ８０（図６）により拡大して目視、確認しながら、ピンセット本体により把持したチップ型電子部品６０（ハンダ付け対象物品）６０の外部電極６１を、回路基板１０１のランド電極１０２上に位置させる。
【００４５】
それから、ハンダごて１０３を、ランド電極１０２に当接させ、ランド電極１０２を昇温させた状態で、線状ハンダＳをハンダごて１０３に接触させることにより、線状ハンダＳが溶融して、チップ型電子部品６０の一方の外部電極６１と、回路基板１０１の一方のランド電極１０２がハンダ付けされる。
【００４６】
チップ型電子部品６０の他方の外部電極６１については、既に一方の外部電極６１が一方のランド電極１０２にハンダ付けされて位置決めがなされているため、上述の方法に準じて、容易に回路基板１０１の他方のランド電極１０２にハンダ付けすることができる。
【００４７】
なお、ハンダ付け作業の途中で、手動送り用操作パッド３３を操作して（回転させて）、線状ハンダＳを、適宜ハンダ付け領域５０に供給することにより、ハンダ付け作業を連続して行うことができる。
【００４８】
その結果、ハンダ付け作業時において、従来のようにハンダとピンセットを持ち替ることを必要とせずに、ハンダ付け作業を効率よく行うことができる。
【００４９】
また、この実施形態のハンダ供給機構付きピンセットＡは、図５および６に示すように、ルーペ８０、照明機構９０を備えているので、明るく照らされたハンダ付け領域５０を拡大し、細部を十分に確認しながらハンダ付け作業を行うことができるため、精度の高いハンダ付けを行うことができる。
【００５０】
なお、上記実施形態では、チップ型電子部品の外部電極を、回路基板のランド電極にハンダ付けする場合を例にとって説明したが、ハンダ付け対象物品の種類や、ハンダ付け対象物品がハンダ付けされる対象物などの種類に特別の制約はない。
【００５１】
本発明はさらにその他の点においても上記実施形態に限定されるものではなく、ピンセット本体を構成する第１部材と第２部材の形状や構造、ハンダスプール、ハンダ送り機構、ハンダ送りガイドなどの具体的な構成、ケースの形状や構造、ルーペや照明機構の構成や配設態様などに関し、発明の範囲内において、種々の応用、変形を加えることができる。
【産業上の利用可能性】
【００５２】
上述のように、本発明のハンダ供給機構付きピンセットを用いることにより、チップ型電子部品の外部電極を、回路基板のランド電極にハンダ付けする場合などにおけるハンダ付けを効率よく行うことが可能になる。したがって、本発明のハンダ供給機構付きピンセットは、チップ型電子部品を回路基板などに搭載する工程を経て製造される種々の電子機器や電気機器の分野に広く利用することが可能である。
【符号の説明】
【００５３】
１          第１部材
１ａ        第１部材の一方側端部
１ｂ        第１部材の他方側端部
２          第２部材
２ａ        第２部材の一方側端部
２ｂ        第２部材の他方側端部
１０        ピンセット本体
１１        把持部
１２        支点
２０        ハンダスプール
３０        ハンダ送り機構
３１ａ，３１ｂ      一対のローラ
３２        ギヤ機構
３２ａ，３２ｂ      一対のギヤ
３３        手動送り用操作パッド
３４        ピンセット押さえ用パッド
４０        ハンダ送りガイド
４１        締結部材
５０        ハンダ付け領域
６０        ハンダ付け対象物品
６１        外部電極
７０        ケース
８０        ルーペ
８１        アーム
８２        蝶番
８３        ルーペ基台
９０        照明部（ＬＥＤ）
１０１      回路基板
１０２      ランド電極
１０３      ハンダごて
Ａ          ハンダ供給機構付きピンセット
Ｓ          線状ハンダ
【図１】
0005943508.tif 000002
【図２】
0005943508.tif 000003
【図３】
0005943508.tif 000004
【図４】
0005943508.tif 000005
【図５】
0005943508.tif 000006
【図６】
0005943508.tif 000007
【図７】
0005943508.tif 000008